(57)【要約】【課題】移動無線端末が異なるサブネットワークにハンドオーバした際に、ルータ広告周期を短縮することなく移動無線端末に迅速にサブネットワーク変更を通知することが可能な無線ＬＡＮシステムを得る。【解決手段】前記ワイヤレスコントローラは、前記アクセスルータから受信したルータ広告メッセージのうち最新のものをキャッシュし、自装置の管理下にある前記中継基地局に新たな移動無線端末が接続した旨のメッセージを受信した場合に前記キャッシュしたルータ広告メッセージを前記中継基地局に送信し、前記中継基地局は、自装置の管理下に新たな移動無線端末が接続した旨のメッセージを受信した場合に該メッセージを前記ワイヤレスコントローラに転送し、前記ワイヤレスコントローラからルータ広告メッセージを受信した場合に該ルータ広告メッセージを前記新たな移動無線端末に転送する。【選択図】        図１
2006270879.tif 000002
【特許請求の範囲】
【請求項１】
移動無線端末と、
前記移動無線端末とサブネットワークを介して通信を行うアクセスルータと、
前記移動無線端末とアクセスルータとの間に設けられ、ＩＥＥＥ８０２．１１で規定される無線フレームを有線フレームへ変換する物理層変換機能を有する中継基地局と、
前記移動無線端末とアクセスルータとの間に設けられ、無線通信制御機能のうち前記物理層変換機能以外の機能を有するワイヤレスコントローラと、を備え、
前記ワイヤレスコントローラは、前記アクセスルータから受信したルータ広告メッセージのうち最新のものをキャッシュし、自装置の管理下にある前記中継基地局に新たな移動無線端末が接続を要求する旨のメッセージを受信し同移動無線端末の接続処理を完了した場合に前記キャッシュしたルータ広告メッセージを前記中継基地局に送信し、また、前記自装置の管理下にある中継基地局からルータ要請メッセージを受信した場合に前記キャッシュしたルータ広告メッセージを前記中継基地局に送信し、
前記中継基地局は、自装置の管理下に新たな移動無線端末が接続を要求する旨のメッセージを受信した場合に該メッセージを前記ワイヤレスコントローラに転送し、前記ワイヤレスコントローラからルータ広告メッセージを受信した場合に該ルータ広告メッセージを前記新たな移動無線端末に転送し、また、自装置の管理下の新たな移動無線端末からルータ要請メッセージを受信した場合に該ルータ要請メッセージを前記ワイヤレスコントローラに転送するとともに前記ワイヤレスコントローラからルータ広告メッセージを受信した場合に該ルータ広告メッセージを前記新たな移動無線端末に転送すること、
を特徴とする無線ＬＡＮシステム。
【請求項２】
移動無線端末と、
該移動無線端末とサブネットワークを介して通信を行うアクセスルータと、
前記移動無線端末とアクセスルータとの間に設けられ、制御信号の転送制御をなすコントロールプレーン制御機能を備えたワイヤレスコントローラと、
前記移動無線端末とアクセスルータとの間に設けられ、ＩＥＥＥ８０２．１１で規定される前記移動機に関するユーザデータの転送制御をなすユーザプレーン制御機能および前記制御信号に関して前記ワイヤレスコントローラの指示に基づいた転送処理機能を備えた中継基地局と、
を備え、
前記中継基地局は、前記アクセスルータから受信したルータ広告メッセージを自装置の属する前記ワイヤレスコントローラに転送し、自装置の管理下に新たな移動無線端末が接続を要求する旨のメッセージを受信した場合に該メッセージを前記ワイヤレスコントローラに転送するとともに前記ワイヤレスコントローラからルータ広告メッセージを受信した場合に該ルータ広告メッセージを前記新たな移動無線端末に転送し、また、前記自装置の管理下の新たな移動無線端末からルータ要請メッセージを受信した場合に該ルータ要請メッセージを前記ワイヤレスコントローラに転送するとともに前記ワイヤレスコントローラからルータ広告メッセージを受信した場合に該ルータ広告メッセージを前記新たな移動無線端末に転送し、
前記ワイヤレスコントローラは、前記中継基地局から転送されたルータ広告メッセージのうち最新のものをキャッシュし、自装置の管理下にある前記中継基地局に新たな移動無線端末が接続を要求する旨のメッセージを受信し同移動無線端末の接続処理を完了した場合に前記キャッシュしたルータ広告メッセージを前記中継基地局に送信し、また、前記自装置の管理下にある中継基地局からルータ要請メッセージを受信した場合に前記キャッシュしたルータ広告メッセージを前記中継基地局に送信すること、
を特徴とする無線ＬＡＮシステム。
【請求項３】
移動無線端末と、
該移動無線端末とサブネットワークを介して通信を行うアクセスルータと、
前記移動無線端末とアクセスルータとの間に設けられ、制御信号の転送制御をなすコントロールプレーン制御機能を備えたワイヤレスコントローラと、
前記移動無線端末とアクセスルータとの間に設けられ、ＩＥＥＥ８０２．１１で規定される前記移動機に関するユーザデータの転送制御をなすユーザプレーン制御機能および前記制御信号に関して前記ワイヤレスコントローラの指示に基づいた転送処理機能を備えた中継基地局と、
を備え、
前記中継基地局は、前記アクセスルータから受信したルータ広告メッセージのうち最新のものをキャッシュし、自装置の管理下に新たな移動無線端末が接続を要求する旨のメッセージを受信した場合に該メッセージを前記ワイヤレスコントローラに転送するとともに前記ワイヤレスコントローラの指示に従って前記キャッシュしたルータ広告メッセージを前記新たな移動無線端末に送信し、また、前記自装置の管理下の新たな移動無線端末からルータ要請メッセージを受信した場合に該ルータ要請メッセージを前記ワイヤレスコントローラに転送するとともに該ワイヤレスコントローラの指示に従って前記キャッシュしたルータ広告メッセージを前記新たな移動無線端末に送信し、
前記ワイヤレスコントローラは、自装置の管理下にある前記中継基地局に新たな移動無線端末が接続を要求する旨のメッセージを受信し同移動無線端末の接続処理を完了した場合に前記キャッシュしたルータ広告メッセージの前記新たな移動無線端末への送信を前記中継装置に指示し、また、前記自装置の管理下にある中継基地局からルータ要請メッセージを受信した場合に前記キャッシュしたルータ広告メッセージの前記新たな移動無線端末への送信を前記中継基地局に指示すること、
を特徴とする無線ＬＡＮシステム。
【請求項４】
移動無線端末と、
前記移動無線端末とサブネットワークを介して通信を行うアクセスルータと、
前記移動無線端末とアクセスルータとの間に設けられ、ＩＥＥＥ８０２．１１で規定される無線フレームを有線フレームへ変換する物理層変換機能および無線通信制御機能を有する中継基地局を備え、
前記中継基地局は、受信したルータ広告メッセージのうち最新のものをキャッシュし、自装置の管理下に新たな移動無線端末が接続を要求する旨のメッセージを受信し同移動無線端末の接続処理を完了した場合に前記キャッシュしたルータ広告メッセージを前記新たな移動無線端末に送信し、また、前記自装置の管理下の新たな移動無線端末からルータ要請メッセージを受信した場合に前記キャッシュしたルータ広告メッセージを前記新たな移動無線端末に送信すること
を特徴とする無線ＬＡＮシステム。
【発明の詳細な説明】
【技術分野】
【０００１】
本発明は、無線ＬＡＮシステムに関するものであり、特に、移動無線端末が異なるサブネットワークにハンドオーバした際に、ルータ広告周期を短縮することなく移動無線端末に迅速にサブネットワーク変更を通知することが可能な無線ＬＡＮシステムに関するものである。
【背景技術】
【０００２】
近年、レイヤ２として無線ＬＡＮを適用した構内通信網においてＶｏＩＰ技術を使用した無線ＩＰ端末を利用することにより、従来の構内ＰＨＳ等の内線電話網とＬＡＮを統合することが可能となっている。このような無線ＬＡＮによる構内通信網においても、レイヤ３ハンドオーバでは、異なるネットワークアドレスであるサブネットワーク間を移動することになるため、無線ＩＰ端末に対して適切にパケットをルーティングするためには、サブネットワーク毎に異なるＩＰアドレスを付与する必要があり、無線ＩＰ端末が在圏するサブネットワークに応じたＩＰアドレスを決定する必要がある。
【０００３】
このＩＰアドレスを決定するためには、無線ＩＰ端末自身が異なるサブネットワークに移動したことを検出する必要がある。このために、従来のＩＰｖ４およびＩＰｖ６では、アクセスルータ（ＡＲ）から定期的にブロードキャストされるルータ広告を受信（ｖ６、ｖ４：ＦＡモード）することで検出している。そして、このような無線ＩＰ端末を収容する無線ＬＡＮシステムの構成には大別して、通常ＡＰ方式とＴｈｉｎ  ＡＰ方式とがある。
【０００４】
Ｔｈｉｎ  ＡＰ方式は、アクセスポイント（ＡＰ：中継基地局）の機能をＩＥＥＥ８０２．１１と有線ネットワーク間の物理層変換に特化した構成とし、その他の無線設定やセキュリティ、認証、暗号化、ハンドオーバ、フレームのブリッジング等の機能をワイヤレスコントローラ（ＷＣ）上で実現する無線ＬＡＮシステムである。ワイヤレスコントローラ（ＷＣ）とアクセスポイント（ＡＰ）との間には従来のＬ２／Ｌ３ネットワークが使用されるため、ワイヤレスコントローラ（ＷＣ）とアクセスポイント（ＡＰ）との間のフレーム転送やアクセスポイント（ＡＰ）の制御においては、各社独自のトンネリング／カプセリング技術が用いられる。（ＩＥＴＦ(Internet Engineering Task Force)において提案されたＬＷＡＰＰ(lightweight access point protocol)などがその一例である。）このため、ネットワーク上の他の端末やサーバから見ると、アクセスポイント（ＡＰ）配下の各移動端末はワイヤレスコントローラ（ＷＣ）に位置するように見える構成となる。
【０００５】
一方、通常ＡＰ方式では、従来の無線ＬＡＮと同様に、セキュリティ、認証、暗号化、ハンドオーバ等の機能をアクセスポイント（ＡＰ）に実装し、アクセスポイント（ＡＰ）単独でブリッジとして動作する無線ＬＡＮシステムである。この場合でも、ＳＮＭＰ等のネットワーク管理プロトコルを使用して複数のアクセスポイント（ＡＰ）を監視制御するアクセスポイント（ＡＰ）管理装置が存在する場合もある。
【０００６】
無線ＩＰ端末は、Ｔｈｉｎ  ＡＰ、通常ＡＰのいずれの場合であっても、アクセスポイント（ＡＰ）との間でＩＥＥＥ８０２．１１で規定されるアソシエーション手順により接続関係を確立し、無線フレームを送受信する。
【０００７】
また、このＩＰアドレスを決定するため、すなわち無線ＩＰ端末自身が異なるサブネットワークに移動したことを検出する方法として、中継局装置自身が無線ＩＰ端末のＦＡとしての機能を有し、中継局においてハンドオーバを検出した場合にエージェント広告メッセージを再生して送信する技術なども提案されている（たとえば、特許文献１参照）。
【０００８】
【特許文献１】特開２００３−１７９６１６号公報
【発明の開示】
【発明が解決しようとする課題】
【０００９】
しかしながら、上記従来の技術によれば、無線ＩＰ端末自身が異なるサブネットワークに移動したことを検出するためにはサブネットプレフィックスを通知するルータ広告を受信する必要があるため、最悪の場合、ルータ広告の送信周期時間だけ待つ必要がある。無線ＩＰ端末にサブネットワーク移動を迅速に検出させるためには、たとえば、このルータ広告の送信周期を１０ｍｓ程度に短縮すれば可能ではあるが、それでは無線ＬＡＮの帯域を消費してしまい、ユーザフレームが利用できる帯域が減少してしまうという問題がある。
【００１０】
また、ルータは無線ＩＰ端末からのルータ要請を受信するとルータ広告を送信することが可能であるが、そのルータ広告の送信は即時でなくともよい規格となっているため、迅速な検出手段としては、現状の技術そのままでは期待できない可能性がある。また、上記特許文献１の技術においては、エージェント広告メッセージを再生しなくてはならず処理が複雑化するという問題もある。
【００１１】
本発明は、上記に鑑みてなされたものであって、移動無線端末が異なるサブネットワークにハンドオーバした際に、ルータ広告周期を短縮することなく移動無線端末に迅速にサブネットワーク変更を通知することが可能な無線ＬＡＮシステムを得ることを目的とする。
【課題を解決するための手段】
【００１２】
上述した課題を解決し、目的を達成するために、本発明にかかる無線ＬＡＮシステムは、移動無線端末と、移動無線端末とサブネットワークを介して通信を行うアクセスルータと、移動無線端末とアクセスルータとの間に設けられ、ＩＥＥＥ８０２．１１で規定される無線フレームを有線フレームへ変換する物理層変換機能を有する中継基地局と、移動無線端末とアクセスルータとの間に設けられ、無線通信制御機能のうち物理層変換機能以外の機能を有するワイヤレスコントローラと、を備え、ワイヤレスコントローラは、アクセスルータから受信したルータ広告メッセージのうち最新のものをキャッシュし、自装置の管理下にある中継基地局に新たな移動無線端末が接続を要求する旨のメッセージを受信し同移動無線端末の接続処理を完了した場合にキャッシュしたルータ広告メッセージを中継基地局に送信し、また、自装置の管理下にある中継基地局からルータ要請メッセージを受信した場合にキャッシュしたルータ広告メッセージを中継基地局に送信し、中継基地局は、自装置の管理下に新たな移動無線端末が接続を要求する旨のメッセージを受信した場合に該メッセージをワイヤレスコントローラに転送し、ワイヤレスコントローラからルータ広告メッセージを受信した場合に該ルータ広告メッセージを新たな移動無線端末に転送し、また、自装置の管理下の新たな移動無線端末からルータ要請メッセージを受信した場合に該ルータ要請メッセージをワイヤレスコントローラに転送するとともにワイヤレスコントローラからルータ広告メッセージを受信した場合に該ルータ広告メッセージを新たな移動無線端末に転送することを特徴とする。
【発明の効果】
【００１３】
この発明によれば、移動無線端末が異なるサブネットワークにハンドオーバした場合においても、周期的に送信されるルータ広告周期を待つことなく、またルータ広告周期を短縮することなく、移動無線端末に迅速にサブネットワーク変更を通知することができる、という効果を奏する。
【発明を実施するための最良の形態】
【００１４】
以下に、本発明にかかる無線ＬＡＮシステムの実施の形態を図面に基づいて詳細に説明する。なお、本発明は以下の記述に限定されるものではなく、本発明の要旨を逸脱しない範囲において適宜変更可能である。
【００１５】
実施の形態１．
図１は、本発明の実施の形態１にかかる無線ＬＡＮシステムを説明するための概略構成図である。本実施の形態にかかる無線ＬＡＮシステムはレイヤ２としてＴｈｉｎ  ＡＰ構成である無線ＬＡＮを適用したネットワークシステムであり、図１に示すようにアクセスルータ（ＡＲ）１０１と、サブネットワーク１を介してアクセスルータ（ＡＲ）１０１と接続されるアクセスポイント１（ＡＰ１）１０３−１と、サブネットワーク２を介してアクセスルータ（ＡＲ）１０１と接続されるアクセスポイント２（ＡＰ２）１０３−２と、アクセスルータ（ＡＲ）１０１及びアクセスポイント１（ＡＰ１）１０３−１と接続されるワイヤレスコントローラ１（ＷＣ）１０２−１と、アクセスルータ（ＡＲ）１０２及びアクセスポイント２（ＡＰ２）１０３−２と接続されるワイヤレスコントローラ２（ＷＣ）１０２−２と、アクセスポイント１（ＡＰ１）１０３−１と無線回線で接続される無線ＩＰ端末１０４−１と、アクセスポイント２（ＡＰ２）１０３−２と無線回線で接続される無線ＩＰ端末１０４−２と、を備えて構成される。
【００１６】
なお、以下においては、アクセスポイント１（ＡＰ１）１０３−１とアクセスポイント２（ＡＰ２）１０３−２とを総称してアクセスポイント（ＡＰ）１０３と、ワイヤレスコントローラ１（ＷＣ１）１０２−１とワイヤレスコントローラ２（ＷＣ２）１０２−１とを総称してワイヤレスコントローラ（ＷＣ）１０２と、呼ぶ場合がある。
【００１７】
この無線ＬＡＮシステムは、アクセスポイント１（ＡＰ１）１０３−１およびアクセスポイント２（ＡＰ２）１０３−２の機能をＩＥＥＥ８０２．１１で規定される無線フレームを有線フレームへ変換する物理層変換機能に特化した構成とし、無線通信制御の機能、すなわち、その他の無線設定やセキュリティ、認証、暗号化、ハンドオーバ、フレームのブリッジング等の機能をワイヤレスコントローラ１０３−１上およびワイヤレスコントローラ２（ＷＣ２）１０３−２上で実現するＴｈｉｎ  ＡＰ構成の無線ＬＡＮシステムである。
【００１８】
以下、この無線ＬＡＮシステムの動作について図２を参照して説明する。図２は、本実施の形態にかかる無線ＬＡＮシステムの動作を説明するためのシーケンス図である。なお、以下においては、無線ＩＰ端末１０４−２がサブネットワーク１からハンドオーバしてサブネットワーク２のエリアに在圏した場合の通信を例に説明する。
【００１９】
この無線ＬＡＮシステムでは、アクセスルータ（ＡＲ）１０１は、常時、所定の周期でルータ広告パケットをワイヤレスコントローラ２（ＷＣ２）１０３−２に送信する。ワイヤレスコントローラ２（ＷＣ２）１０３−２は、該ルータ広告パケットを受信し、アクセスポイント２（ＡＰ）１０３に送信する。アクセスポイント２（ＡＰ）１０３−２は、該アクセスポイント２（ＡＰ）１０３−２配下の全無線ＩＰ端末１０４に周期的に送信する。そして、無線ＩＰ端末１０４は、所定の周期でこのルータ広告パケットを受信し続ける。すなわち、無線ＩＰ端末１０４は、所定の周期で、ワイヤレスコントローラ２（ＷＣ２）１０３−２とアクセスポイント２（ＡＰ２）１０３−２とを経由して、ルータ広告パケットを受信し続けている。
【００２０】
この状態で、アクセスルータ（ＡＲ）１０１がワイヤレスコントローラ２（ＷＣ２）１０２−２に対してルータ広告パケットを送信する（ステップＳ１０１）。ワイヤレスコントローラ２（ＷＣ２）１０２−２は、アクセスルータ（ＡＲ）１０１から送信されたルータ広告パケットを受信し、受信した最新のルータ広告パケットをキャッシュする（ステップＳ１０２）。
【００２１】
つぎに、ワイヤレスコントローラ２（ＷＣ２）１０２−２が接続するアクセスポイント２（ＡＰ２）１０３−２に新たな無線ＩＰ端末１０４（ここでは無線ＩＰ端末１０４−２とする）が接続してくる、すなわち、無線ＩＰ端末１０４−２がアクセスポイント２（ＡＰ２）１０３−２に対してアソシエーション要求を送信すると（ステップＳ１０３）、アクセスポイント２（ＡＰ２）１０３−２は、該アソシエーション要求を受信し、該アソシエーション要求をワイヤレスコントローラ２（ＷＣ２）１０２−２−アクセスポイント２（ＡＰ２）１０２−２間の制御フレーム（ＷＣ−ＡＰ間制御フレーム）に入れてワイヤレスコントローラ２（ＷＣ２）１０２−２に転送する（ステップＳ１０４）。
【００２２】
つぎに、ワイヤレスコントローラ２（ＷＣ２）１０２−２は、アクセスポイント２（ＡＰ２）１０３−２が送信したＷＣ−ＡＰ間制御フレームを受信し、該ＷＣ−ＡＰ間制御フレームからアソシエーション要求を取り出して無線ＩＰ端末１０４−２の収容処理を行う（ステップＳ１０５）。そして、ワイヤレスコントローラ２（ＷＣ２）１０２−２は、アソシエーション応答を生成し、該アソシエーション応答をＷＣ−ＡＰ間制御フレームに入れてアクセスポイント２（ＡＰ２）１０３−２に対して送信する（ステップＳ１０６）。アクセスポイント２（ＡＰ２）１０３−２は、ワイヤレスコントローラ２（ＷＣ２）１０２−２が送信したＷＣ−ＡＰ間制御フレームを受信し、該ＷＣ−ＡＰ間制御フレームからアソシエーション応答を取り出して無線ＩＰ端末１０４−２に転送する（ステップＳ１０７）。
【００２３】
つぎに、ワイヤレスコントローラ２（ＷＣ２）１０２−２は、ルータ広告再送信制御を行い（ステップＳ１０８）、キャッシュしておいた最新のルータ広告パケットをＷＣ−ＡＰ間制御フレームに入れてアクセスポイント２（ＡＰ２）１０３−２に対して送信する（ステップＳ１０９）。アクセスポイント２（ＡＰ２）１０３−２は、ワイヤレスコントローラ２（ＷＣ２）１０２−２から送信されたＷＣ−ＡＰ間制御フレームを受信し、該ＷＣ−ＡＰ間制御フレームからルータ広告パケットを取り出し、該ルータ広告パケットを無線ＩＰ端末１０４−２に対して転送する（ステップＳ１１０）。無線ＩＰ端末１０４−２では、ルータ広告パケットを受信し、該ルータ広告パケットにより自装置が存在するサブネットワーク（サブネットワーク２）の判定とＩＰアドレス（ＩＰアドレス２）の決定を行う（ステップＳ１１１）。
【００２４】
また、アクセスポイント２（ＡＰ２）１０３−２が無線ＩＰ端末１０４からのルータ要請パケットを受信した場合も、そのルータ要請パケットはワイヤレスコントローラ２（ＷＣ２）１０２−２に転送され、ワイヤレスコントローラ２（ＷＣ２）１０２−２では、即時にキャッシュしておいたルータ広告パケットを該当する無線ＩＰ端末宛に送信する。
【００２５】
以上のような動作を行うことにより、本実施の形態にかかる無線ＬＡＮシステムにおいては、新たにアクセスポイント１０３−２配下に移動してきた無線ＩＰ端末１０４−２は、ルータ広告の周期を待たずにルータ広告を受信することが可能となり、自装置が存在するサブネットワーク（サブネットワーク２）の判定とＩＰアドレス（ＩＰアドレス２）の決定が可能となる。したがって、本実施の形態にかかる無線ＬＡＮシステムにおいては、ルータ広告パケットの送信周期を短縮せずに、無線ＩＰ端末１０４−２に迅速にサブネットワーク変更を通知することが可能である。
【００２６】
また、ワイヤレスコントローラ２（ＷＣ２）１０２−２において、上記の場合と同様にワイヤレスコントローラ２（ＷＣ）１０２−２が、受信した最新のルータ広告パケットをキャッシュしておき、配下のアクセスポイント２（ＡＰ２）１０３−２に新たに接続してきた無線ＩＰ端末があった場合にのみ、このキャッシュしておいたルータ広告パケットをアクセスポイント２（ＡＰ２）１０２−２配下の無線ＩＰ端末１０４に送信する形態とすることも可能である。
【００２７】
また、アクセスポイント２（ＡＰ２）１０３−２が無線ＩＰ端末１０４−２からのルータ要請パケットを受信した場合も、そのルータ要請パケットはワイヤレスコントローラ２（ＷＣ）１０２−２に転送される。ワイヤレスコントローラ２（ＷＣ）１０２−２では、即時にキャッシュしておいたルータ広告パケットを無線ＩＰ端末１０４−２宛に転送する。
【００２８】
以上のような形態とすることにより、アクセスポイント２（ＡＰ２）１０３−２配下で接続したまま着信待ちである無線ＩＰ端末１０４−２に対する無線フレーム送信を抑止し、無線ＩＰ端末１０４−２において無線フレーム送受信処理が動作することを抑止することで、無線ＩＰ端末１０４−２の電力消費を低減させることが可能となる。
【００２９】
実施の形態２．
図３は、本発明の実施の形態２にかかる無線ＬＡＮシステムを説明するための概略構成図である。本実施の形態にかかる無線ＬＡＮシステムはレイヤ２としてＴｈｉｎ  ＡＰ構成である無線ＬＡＮを適用したネットワークシステムであり、図３に示すようにアクセスルータ（ＡＲ）２０１と、サブネットワーク１を介してアクセスルータ（ＡＲ）２０１と接続されるアクセスポイント１（ＡＰ１）２０３−１と、サブネットワーク２を介してアクセスルータ（ＡＲ）２０１と接続されるアクセスポイント２（ＡＰ２）２０３−２と、アクセスルータ（ＡＲ）２０１及びアクセスポイント１（ＡＰ１）２０３−１と接続されるワイヤレスコントローラ１（ＷＣ２）２０２−１と、アクセスルータ（ＡＲ）２０１及びアクセスポイント２（ＡＰ２）２０３−２と接続されるワイヤレスコントローラ２（ＷＣ２）２０２−２と、アクセスポイント１（ＡＰ１）２０３−１と無線回線で接続される無線ＩＰ端末２０４−１と、アクセスポイント２（ＡＰ２）２０３−２と無線回線で接続される無線ＩＰ端末２０４−２と、を備えて構成される。
【００３０】
なお、以下においては、アクセスポイント１（ＡＰ１）２０３−１とアクセスポイント２（ＡＰ２）２０３−２とを総称してアクセスポイント（ＡＰ）２０３と、ワイヤレスコントローラ１（ＷＣ１）２０２−１とワイヤレスコントローラ２（ＷＣ２）２０２−１とを総称してワイヤレスコントローラ（ＷＣ）２０２と、呼ぶ場合がある。
【００３１】
この無線ＬＡＮシステムは、アクセスポイント１（ＡＰ１）２０３−１およびアクセスポイント２（ＡＰ２）２０３−２の機能をＩＥＥＥ８０２．１１で規定される無線フレームを有線フレームへ変換する物理層変換機能および無線通信制御の機能のうち暗号化機能などのコントロール・プレーン（Ｃプレーン）機能に特化した構成とし、無線通信制御の機能のうちそれ以外の機能であるユーザ・プレーン（Ｕプレーン）機能、すなわち、その他の無線設定やセキュリティ、認証、ハンドオーバ等の機能をワイヤレスコントローラ２０３−１上およびワイヤレスコントローラ２０３−２上で実現する、ユーザ・プレーン／コントロール・プレーン分離型（Ｕ／Ｃ分離型）のＴｈｉｎ  ＡＰ構成の無線ＬＡＮシステムである。
【００３２】
すなわち、無線ＬＡＮシステムは、コントロール・プレーン（Ｃプレーン）機能を終端するワイヤレスコントローラ２０２と、ユーザ・プレーン（Ｕプレーン）機能においてはブリッジとして動作し、コントロール・プレーン（Ｃプレーン）ではＴｈｉｎ  ＡＰのようにワイヤレスコントローラ（ＷＣ）２０２からの制御を行うアクセスポイント（ＡＰ）２０３と、を有して構成されている。
【００３３】
以下、この無線ＬＡＮシステムの動作について図４を参照して説明する。図４は、本実施の形態にかかる無線ＬＡＮシステムの動作を説明するためのシーケンス図である。なお、以下においては、無線ＩＰ端末２０４−２がサブネットワーク１からハンドオーバしてサブネットワーク２のエリアに在圏した場合の通信を例に説明する。
【００３４】
この無線ＬＡＮシステムでは、アクセスルータ（ＡＲ）２０１は、常時、所定の周期でルータ広告パケットをアクセスポイント２（ＡＰ２）２０３−２に送信する。アクセスポイント２（ＡＰ２）２０３−２は、該アクセスポイント２（ＡＰ２）２０３−２配下の全無線ＩＰ端末２０４に周期的に送信する。そして、無線ＩＰ端末２０４は、所定の周期でこのルータ広告パケットを受信し続ける。すなわち、無線ＩＰ端末２０４は、所定の周期で、アクセスポイント２（ＡＰ２）２０３−２を経由して、ルータ広告パケットを受信し続けている。
【００３５】
この状態で、アクセスルータ（ＡＲ）２０１がアクセスポイント２（ＡＰ２）２０３−２に対してルータ広告パケットを送信する（ステップＳ２０１）。アクセスポイント２（ＡＰ２）２０３−２は、アクセスルータ（ＡＲ）２０１から送信されたルータ広告パケットを受信し、受信した最新のルータ広告パケットをワイヤレスコントローラ２（ＷＣ２）２０２−２−アクセスポイント２（ＡＰ２）２０２−２間の制御フレーム（ＷＣ−ＡＰ間制御フレーム）に入れてワイヤレスコントローラ２（ＷＣ２）２０２−２に転送する（ステップＳ２０２）。ワイヤレスコントローラ２（ＷＣ２）２０２−２は、アクセスポイント２（ＡＰ２）２０３−２から転送されたルータ広告パケットを受信し、受信した最新のルータ広告パケットをキャッシュする（ステップＳ２０３）。
【００３６】
つぎに、ワイヤレスコントローラ２（ＷＣ２）２０２−２が接続するアクセスポイント２（ＡＰ２）２０３−２に新たな無線ＩＰ端末２０４（ここでは無線ＩＰ端末２０４−２とする）が接続してくる、すなわち、無線ＩＰ端末２０４−２がアクセスポイント２（ＡＰ２）２０３−２に対してアソシエーション要求を送信すると（ステップＳ２０４）、アクセスポイント２（ＡＰ２）２０３−２は、該アソシエーション要求を受信し、該アソシエーション要求をＷＣ−ＡＰ間制御フレームに入れてワイヤレスコントローラ２（ＷＣ２）２０２−２に転送する（ステップＳ２０５）。
【００３７】
つぎに、ワイヤレスコントローラ２（ＷＣ２）２０２−２は、アクセスポイント２（ＡＰ２）２０３−２が送信したＷＣ−ＡＰ間制御フレームを受信し、該ＷＣ−ＡＰ間制御フレームからアソシエーション要求を取り出して無線ＩＰ端末２０４−２の収容処理を行う（ステップＳ２０６）。そして、ワイヤレスコントローラ２（ＷＣ２）２０２−２は、アソシエーション応答を生成し、該アソシエーション応答をＷＣ−ＡＰ間制御フレームに入れてアクセスポイント２（ＡＰ２）２０３−２に対して送信する（ステップＳ２０７）。アクセスポイント２（ＡＰ２）２０３−２は、ワイヤレスコントローラ２（ＷＣ２）２０２−２が送信したＷＣ−ＡＰ間制御フレームを受信し、該ＷＣ−ＡＰ間制御フレームからアソシエーション応答を取り出して無線ＩＰ端末２０４−２に転送する（ステップＳ２０８）。
【００３８】
つぎに、ワイヤレスコントローラ２（ＷＣ２）２０２−２は、ルータ広告再送信制御を行い（ステップＳ２０９）、キャッシュしておいた最新のルータ広告パケットをＷＣ−ＡＰ間制御フレームに入れてアクセスポイント２（ＡＰ２）２０３−２に対して送信する（ステップＳ２１０）。アクセスポイント２（ＡＰ２）２０３−２は、ワイヤレスコントローラ２（ＷＣ２）２０２−２から送信されたＷＣ−ＡＰ間制御フレームを受信し、該ＷＣ−ＡＰ間制御フレームからルータ広告パケットを取り出し、該ルータ広告パケットを無線ＩＰ端末２０４−２に対して転送する（ステップＳ２１１）。無線ＩＰ端末２０４−２では、ルータ広告パケットを受信し、該ルータ広告パケットにより自装置が存在するサブネットワーク（サブネットワーク２）の判定とＩＰアドレス（ＩＰアドレス２）の決定を行う（ステップＳ２１２）。
【００３９】
また、アクセスポイント２（ＡＰ２）２０３−２が無線ＩＰ端末２０４からのルータ要請パケットを受信した場合も、そのルータ要請パケットはワイヤレスコントローラ２（ＷＣ２）２０２−２に転送される。ワイヤレスコントローラ２（ＷＣ２）２０２−２では、即時にキャッシュしておいたルータ広告パケットをアクセスポイント２（ＡＰ２）２０３−２に返送し、アクセスポイント２（ＡＰ２）２０３−２は無線ＩＰ端末２０４に転送する。
【００４０】
以上のような動作を行うことにより、本実施の形態にかかる無線ＬＡＮシステムにおいては、新たにアクセスポイント２０３−２配下に移動してきた無線ＩＰ端末２０４−２は、ルータ広告の周期を待たずにルータ広告を受信することが可能となり、自装置が存在するサブネットワーク（サブネットワーク２）の判定とＩＰアドレス（ＩＰアドレス２）の決定が可能となる。したがって、本実施の形態にかかる無線ＬＡＮシステムにおいては、ルータ広告パケットの送信周期を短縮せずに、無線ＩＰ端末２０４−２に迅速にサブネットワーク変更を通知することが可能である。
【００４１】
また、上記の場合と同様にアクセスポイント２（ＡＰ２）２０３−２から転送された最新のルータ広告パケットをワイヤレスコントローラ２（ＷＣ）２０２−２がキャッシュしておき、配下のアクセスポイント２（ＡＰ２）２０３−２に新たに接続してきた無線ＩＰ端末があった場合にのみ、このキャッシュしておいたルータ広告パケットをアクセスポイント２０２配下の無線ＩＰ端末２０４に送信する形態とすることも可能である。
【００４２】
また、アクセスポイント２（ＡＰ２）２０３−２が無線ＩＰ端末２０４からのルータ要請パケットを受信した場合も、そのルータ要請パケットはワイヤレスコントローラ２（ＷＣ）２０２−２に転送される。ワイヤレスコントローラ２（ＷＣ）２０２−２では、即時にキャッシュしておいたルータ広告パケットをアクセスポイント２（ＡＰ２）２０３−２に返送し、アクセスポイント２（ＡＰ２）２０３−２は無線ＩＰ端末２０４に送信する。
【００４３】
以上のような形態とすることにより、アクセスポイント２（ＡＰ２）２０３−２配下で接続したまま着信待ちである無線ＩＰ端末２０４−２に対する無線フレーム送信を抑止し、無線ＩＰ端末２０４−２において無線フレーム送受信処理が動作することを抑止することで、無線ＩＰ端末２０４−２の電力消費を低減させることが可能となる。
【００４４】
実施の形態３．
図５は、本発明の実施の形態３にかかる無線ＬＡＮシステムを説明するための概略構成図である。本実施の形態にかかる無線ＬＡＮシステムはレイヤ２としてＴｈｉｎ  ＡＰ構成である無線ＬＡＮを適用したネットワークシステムであり、図５に示すようにアクセスルータ（ＡＲ）３０１と、サブネットワーク１を介してアクセスルータ（ＡＲ）３０１と接続されるアクセスポイント１（ＡＰ１）３０３−１と、サブネットワーク２を介してアクセスルータ（ＡＲ）３０１と接続されるアクセスポイント２（ＡＰ２）３０３−２と、アクセスルータ（ＡＲ）３０１及びアクセスポイント１（ＡＰ１）３０３−１と接続されるワイヤレスコントローラ１（ＷＣ１）３０２−１と、アクセスルータ（ＡＲ）３０１及びアクセスポイント２（ＡＰ２）３０３−２と接続されるワイヤレスコントローラ２（ＷＣ２）３０２−２と、アクセスポイント１（ＡＰ１）３０３−１と無線回線で接続される無線ＩＰ端末３０４−１と、アクセスポイント２（ＡＰ２）３０３−２と無線回線で接続される無線ＩＰ端末３０４−２と、を備えて構成される。
【００４５】
なお、以下においては、アクセスポイント１（ＡＰ１）３０３−１とアクセスポイント２（ＡＰ２）３０３−２とを総称してアクセスポイント（ＡＰ）３０３と、ワイヤレスコントローラ１（ＷＣ１）３０２−１とワイヤレスコントローラ２（ＷＣ２）３０２−１とを総称してワイヤレスコントローラ（ＷＣ）３０２と、呼ぶ場合がある。
【００４６】
この無線ＬＡＮシステムは、アクセスポイント１（ＡＰ１）３０３−１およびアクセスポイント２（ＡＰ２）３０３−２の機能をＩＥＥＥ８０２．１１で規定される無線フレームを有線フレームへ変換する物理層変換機能および無線通信制御の機能のうち暗号化機能などのコントロール・プレーン（Ｃプレーン）機能に特化した構成とし、無線通信制御の機能のうちそれ以外の機能であるユーザ・プレーン（Ｕプレーン）機能、すなわち、その他の無線設定やセキュリティ、認証、ハンドオーバ等の機能をワイヤレスコントローラ３０３−１上およびワイヤレスコントローラ３０３−２上で実現する、ユーザ・プレーン／コントロール・プレーン分離型（Ｕ／Ｃ分離型）のＴｈｉｎ  ＡＰ構成の無線ＬＡＮシステムである。
【００４７】
すなわち、無線ＬＡＮシステムは、コントロール・プレーン（Ｃプレーン）機能を終端するワイヤレスコントローラ（ＷＣ）３０２と、ユーザ・プレーン（Ｕプレーン）機能においてはブリッジとして動作し、コントロール・プレーン（Ｃプレーン）ではＴｈｉｎ  ＡＰのようにワイヤレスコントローラ（ＷＣ）３０２からの制御を行うアクセスポイント（ＡＰ）２０３と、を有して構成されている。
【００４８】
以下、この無線ＬＡＮシステムの動作について図６を参照して説明する。図６は、本実施の形態にかかる無線ＬＡＮシステムの動作を説明するためのシーケンス図である。なお、以下においては、無線ＩＰ端末３０４−２がサブネットワーク１からハンドオーバしてサブネットワーク２のエリアに在圏した場合の通信を例に説明する。
【００４９】
この無線ＬＡＮシステムでは、アクセスルータ（ＡＲ）３０１は、常時、所定の周期でルータ広告パケットをアクセスポイント（ＡＰ）３０３−２に送信する。アクセスポイント（ＡＰ）３０３−２は、該アクセスポイント（ＡＰ）３０３−２配下の全無線ＩＰ端末３０４に周期的に送信する。そして、無線ＩＰ端末３０４は、所定の周期でこのルータ広告パケットを受信し続ける。すなわち、無線ＩＰ端末３０４は、所定の周期で、各アクセスポイント（ＡＰ）３０３−２を経由して、ルータ広告パケットを受信し続けている。
【００５０】
この状態で、アクセスルータ（ＡＲ）３０１がアクセスポイント２（ＡＰ２）３０３−２に対してルータ広告パケットを送信する（ステップＳ３０１）。アクセスポイント２（ＡＰ２）３０３−２は、アクセスルータ（ＡＲ）３０１から送信されたルータ広告パケットを受信し、受信した最新のルータ広告パケットをキャッシュする（ステップＳ３０２）。
【００５１】
つぎに、ワイヤレスコントローラ２（ＷＣ２）２０２−２が接続するアクセスポイント２（ＡＰ２）３０３−２に新たな無線ＩＰ端末３０４（ここでは無線ＩＰ端末３０４−２とする）が接続してくる、すなわち、無線ＩＰ端末３０４−２がアクセスポイント２（ＡＰ２）３０３−２に対してアソシエーション要求を送信すると（ステップＳ３０３）、アクセスポイント２（ＡＰ２）３０３−２は、該アソシエーション要求を受信し、該アソシエーション要求をＷＣ−ＡＰ間制御フレームに入れてワイヤレスコントローラ２（ＷＣ２）３０２−２に転送する（ステップＳ３０４）。
【００５２】
つぎに、ワイヤレスコントローラ２（ＷＣ２）３０２−２は、アクセスポイント２（ＡＰ２）３０３−２が送信したＷＣ−ＡＰ間制御フレームを受信し、該ＷＣ−ＡＰ間制御フレームからアソシエーション要求を取り出して無線ＩＰ端末３０４−２の収容処理を行う（ステップＳ３０５）。そして、ワイヤレスコントローラ２（ＷＣ２）３０２−２は、アソシエーション応答を生成し、該アソシエーション応答をＷＣ−ＡＰ間制御フレームに入れてアクセスポイント２（ＡＰ２）３０３−２に対して送信する（ステップＳ３０６）。アクセスポイント２（ＡＰ２）３０３−２は、ワイヤレスコントローラ２（ＷＣ２）３０２−２が送信したＷＣ−ＡＰ間制御フレームを受信し、該ＷＣ−ＡＰ間制御フレームからアソシエーション応答を取り出して無線ＩＰ端末３０４−２に転送する（ステップＳ３０７）。
【００５３】
つぎに、Ｃプレーンにて無線ＩＰ端末３０４の接続を検出したワイヤレスコントローラ２（ＷＣ２）３０２−２は、ルータ広告送信指示を生成し、ＷＣ−ＡＰ間制御フレームに入れてアクセスポイント２（ＡＰ２）３０３−２に対して送信する（ステップＳ３０８）。アクセスポイント２（ＡＰ２）３０３−２は、ワイヤレスコントローラ２（ＷＣ２）３０２−２から送信されたＷＣ−ＡＰ間制御フレームを受信し、ルータ広告送信指示を取り出すと、該指示に従って、ルータ広告再送信処理を行い（ステップＳ３０９）、キャッシュしておいた最新のルータ広告パケットを無線ＩＰ端末３０４−２に対して送信する（ステップＳ３１０）。無線ＩＰ端末３０４−２では、ルータ広告パケットを受信し、該ルータ広告パケットにより自装置が存在するサブネットワーク（サブネットワーク２）の判定とＩＰアドレス（ＩＰアドレス２）の決定を行う（ステップＳ３１１）。
【００５４】
以上のような動作を行うことにより、本実施の形態にかかる無線ＬＡＮシステムにおいては、新たにアクセスポイント３０３−２配下に移動してきた無線ＩＰ端末３０４−２は、ルータ広告の周期を待たずにルータ広告を受信することが可能となり、自装置が存在するサブネットワーク（サブネットワーク２）の判定とＩＰアドレス（ＩＰアドレス２）の決定が可能となる。したがって、本実施の形態にかかる無線ＬＡＮシステムにおいては、ルータ広告パケットの送信周期を短縮せずに、無線ＩＰ端末３０４−２に迅速にサブネットワーク変更を通知することが可能である。
【００５５】
また、上記の場合と同様にアクセスルータ（ＡＲ）３０１から送信された最新のルータ広告パケットをアクセスポイント２（ＡＰ２）３０３−２においてキャッシュしておく。そして、アクセスポイント２（ＡＰ２）３０３−２に新たに接続してきた無線ＩＰ端末があった場合にのみ、Ｃプレーンにて無線ＩＰ端末３０４の接続を検出したワイヤレスコントローラ２（ＷＣ２）３０２−２からのルータ広告送信指示に従ってアクセスポイント２（ＡＰ２）３０３−２が、キャッシュしておいたルータ広告パケットを該当するアクセスポイント２（ＡＰ２）３０３−２配下の無線ＩＰ３０４端末に送信する形態とすることも可能である。
【００５６】
また、アクセスポイント２（ＡＰ２）３０３−２が無線ＩＰ端末３０４−２からのルータ要請パケットを受信した場合は、アクセスポイント２（ＡＰ２）３０３−２が、キャッシュしておいたルータ広告パケットを無線ＩＰ端末３０４−２に送信する。
【００５７】
以上のような形態とすることにより、アクセスポイント２（ＡＰ２）３０３−２配下で接続したまま着信待ちである無線ＩＰ端末２０４−２に対する無線フレーム送信を抑止し、無線ＩＰ端末２０４−２において無線フレーム送受信処理が動作することを抑止することで、無線ＩＰ端末２０４−２の電力消費を低減させることが可能となる。
【００５８】
実施の形態４．
図７は、本発明の実施の形態４にかかる無線ＬＡＮシステムを説明するための概略構成図である。本実施の形態にかかる無線ＬＡＮシステムは、ワイヤレスコントローラを有さない通常のＡＰ構成である無線ＬＡＮを適用したネットワークシステムであり、図７に示すようにアクセスルータ（ＡＲ）４０１と、サブネットワーク１を介してアクセスルータ（ＡＲ）４０１と接続されるアクセスポイント１（ＡＰ１）４０３−１と、サブネットワーク２を介してアクセスルータ（ＡＲ）４０１と接続されるアクセスポイント２（ＡＰ２）４０３−２と、アクセスポイント１（ＡＰ１）４０３−１と無線回線で接続される無線ＩＰ端末４０４−１と、アクセスポイント２（ＡＰ２）４０３−２と無線回線で接続される無線ＩＰ端末４０４−２と、を備えて構成される。
【００５９】
なお、以下においては、アクセスポイント１（ＡＰ１）４０３−１とアクセスポイント２（ＡＰ２）４０３−２とを総称してアクセスポイント（ＡＰ）４０３と、呼ぶ場合がある。
【００６０】
この無線ＬＡＮシステムは、アクセスポイント４０３−１およびアクセスポイント２（ＡＰ２）４０３−２が、ＩＥＥＥ８０２．１１で規定される無線フレームを有線フレームへ変換する物理層変換機能、およびその他の無線設定やセキュリティ、認証、暗号化、ハンドオーバ、フレームのブリッジング等の無線通信制御の機能を有する構成とされた無線ＬＡＮシステムである。
【００６１】
以下、この無線ＬＡＮシステムの動作について図８を参照して説明する。図８は、本実施の形態にかかる無線ＬＡＮシステムの動作を説明するためのシーケンス図である。なお、以下においては、無線ＩＰ端末４０４−２がサブネットワーク１からハンドオーバしてサブネットワーク２のエリアに在圏した場合の通信を例に説明する。
【００６２】
この無線ＬＡＮシステムでは、アクセスルータ（ＡＲ）４０１は、常時、所定の周期でルータ広告パケットをアクセスポイント（ＡＰ）４０３−２に送信する。アクセスポイント（ＡＰ）４０３−２は、該アクセスポイント（ＡＰ）４０３−２配下の全無線ＩＰ端末４０４に周期的に送信する。そして、無線ＩＰ端末４０４は、所定の周期でこのルータ広告パケットを受信し続ける。すなわち、無線ＩＰ端末４０４は、所定の周期で、各アクセスポイント（ＡＰ）４０３−２を経由して、ルータ広告パケットを受信し続けている。
【００６３】
この状態で、アクセスルータ（ＡＲ）４０１がアクセスポイント２（ＡＰ２）４０３−２に対してルータ広告パケットを送信する（ステップＳ４０１）。アクセスポイント２（ＡＰ２）４０３−２は、アクセスルータ（ＡＲ）４０１から送信されたルータ広告パケットを受信し、受信した最新のルータ広告パケットをキャッシュする（ステップＳ４０２）。
【００６４】
つぎに、アクセスポイント２（ＡＰ２）４０３−２に新たな無線ＩＰ端末４０４（ここでは無線ＩＰ端末４０４−２とする）が接続してくる、すなわち、無線ＩＰ端末４０４−２がアクセスポイント２（ＡＰ２）４０３−２に対してアソシエーション要求を送信すると（ステップＳ４０３）、アクセスポイント２（ＡＰ２）４０３−２は、該アソシエーション要求を受信し、無線ＩＰ端末４０４−２の収容処理を行う（ステップＳ４０４）。そして、アクセスポイント２（ＡＰ２）４０３−２は、アソシエーション応答を生成し、該アソシエーション応答を無線ＩＰ端末４０４−２に対して送信する（ステップＳ４０５）。
【００６５】
つぎに、アクセスポイント２（ＡＰ２）４０３−２は、ルータ広告再送信制御を行い（ステップＳ４０６）、キャッシュしておいた最新のルータ広告パケットを無線ＩＰ端末４０４−２に対して送信する（ステップＳ４０７）。無線ＩＰ端末４０４−２では、ルータ広告パケットを受信し、該ルータ広告パケットにより自装置が存在するサブネットワーク（サブネットワーク２）の判定とＩＰアドレス（ＩＰアドレス２）の決定を行う（ステップＳ４０８）。
【００６６】
また、アクセスポイント２（ＡＰ２）４０３−２が無線ＩＰ端末４０４−２からのルータ要請パケットを受信した場合は、アクセスポイント２（ＡＰ２）４０３−２は、即時にキャッシュしておいたルータ広告パケットを無線ＩＰ端末４０４−２に返送する。
【００６７】
以上のような動作を行うことにより、本実施の形態にかかる無線ＬＡＮシステムにおいては、新たにアクセスポイント２（ＡＰ２）４０３−２配下に移動してきた無線ＩＰ端末４０４−２は、ルータ広告の周期を待たずにルータ広告を受信することが可能となり、自装置が存在するサブネットワーク（サブネットワーク２）の判定とＩＰアドレス（ＩＰアドレス２）の決定が可能となる。したがって、本実施の形態にかかる無線ＬＡＮシステムにおいては、ルータ広告パケットの送信周期を短縮せずに、無線ＩＰ端末４０４−２に迅速にサブネットワーク変更を通知することが可能である。
【００６８】
また、上記の場合と同様にアクセスルータ（ＡＲ）３０１から送信された最新のルータ広告パケットをアクセスポイント２（ＡＰ２）４０３−２においてキャッシュしておく。そして、アクセスポイント２（ＡＰ２）４０３−２に新たに接続してきた無線ＩＰ端末があった場合にのみ、キャッシュしておいたルータ広告パケットをアクセスポイント２（ＡＰ２）４０３−２が該当するアクセスポイント２（ＡＰ２）４０３−２配下の無線ＩＰ４０４端末に送信する形態とすることも可能である。
【００６９】
また、アクセスポイント２（ＡＰ２）４０３−２が無線ＩＰ端末４０４−２からのルータ要請パケットを受信した場合は、アクセスポイント２（ＡＰ２）４０３−２が、キャッシュしておいたルータ広告パケットを無線ＩＰ端末４０４−２に返送する。
【００７０】
以上のような形態とすることにより、アクセスポイント２（ＡＰ２）４０３−２配下で接続したまま着信待ちである無線ＩＰ端末４０４−２に対する無線フレーム送信を抑止し、無線ＩＰ端末４０４−２において無線フレーム送受信処理が動作することを抑止することで、無線ＩＰ端末４０４−２の電力消費を低減させることが可能となる。
【産業上の利用可能性】
【００７１】
以上のように、本発明にかかる無線ＬＡＮシステムは、移動無線端末が異なるサブネットワークにハンドオーバした際に、ルータ広告周期を短縮することなく移動無線端末に迅速にサブネットワーク変更を通知する場合に有用である。
【図面の簡単な説明】
【００７２】
【図１】本発明の実施の形態１にかかる無線ＬＡＮシステムを説明するための概略構成図である。
【図２】本発明の実施の形態１にかかる無線ＬＡＮシステムの動作を説明するためのシーケンス図である。
【図３】本発明の実施の形態２にかかる無線ＬＡＮシステムを説明するための概略構成図である。
【図４】本発明の実施の形態２にかかる無線ＬＡＮシステムの動作を説明するためのシーケンス図である。
【図５】本発明の実施の形態３にかかる無線ＬＡＮシステムを説明するための概略構成図である。
【図６】本発明の実施の形態３にかかる無線ＬＡＮシステムの動作を説明するためのシーケンス図である。
【図７】本発明の実施の形態４にかかる無線ＬＡＮシステムを説明するための概略構成図である。
【図８】本発明の実施の形態４にかかる無線ＬＡＮシステムの動作を説明するためのシーケンス図である。
【符号の説明】
【００７３】
１０１  アクセスルータ
１０２  ワイヤレスコントローラ
１０２−１  ワイヤレスコントローラ１
１０２−２  ワイヤレスコントローラ２
１０３  アクセスポイント
１０３−１  アクセスポイント１
１０３−２  アクセスポイント２
１０４  無線ＩＰ端末
１０４−１  無線ＩＰ端末１
１０４−２  無線ＩＰ端末２
２０１  アクセスルータ
２０２  ワイヤレスコントローラ
２０２−１  ワイヤレスコントローラ１
２０２−２  ワイヤレスコントローラ２
２０３  アクセスポイント
２０３−１  アクセスポイント１
２０３−２  アクセスポイント２
２０４  無線ＩＰ端末
２０４−１  無線ＩＰ端末１
２０４−２  無線ＩＰ端末２
３０１  アクセスルータ
３０２  ワイヤレスコントローラ
３０２−１  ワイヤレスコントローラ１
３０２−２  ワイヤレスコントローラ２
３０３  アクセスポイント
３０３−１  アクセスポイント１
３０３−２  アクセスポイント２
３０４  無線ＩＰ端末
３０４−１  無線ＩＰ端末１
３０４−２  無線ＩＰ端末２
４０１  アクセスルータ
４０３  アクセスポイント
４０３−１  アクセスポイント１
４０３−２  アクセスポイント２
４０４  無線ＩＰ端末
４０４−１  無線ＩＰ端末１
４０４−２  無線ＩＰ端末２
【図１】
2006270879.tif 000003
【図２】
2006270879.tif 000004
【図３】
2006270879.tif 000005
【図４】
2006270879.tif 000006
【図５】
2006270879.tif 000007
【図６】
2006270879.tif 000008
【図７】
2006270879.tif 000009
【図８】
2006270879.tif 000010